Podtech/llm-jp-corpus-v4-ja_patent huggingface dataset:
(57)【要約】【課題】  温度によるワイヤーロープの弛緩防止。【解決手段】    架設したワイヤーロープの中間部に本案を取り付け緊張する。緊張することにより変形した弾性体の復元力が持続され、ワイヤーロープの弛緩防止となる。 【選択図】  図２
2009270339.tif 000002
【特許請求の範囲】
【請求項１】
図１に示す様に湾曲させた弾性体１、にワイヤーロープ２、を巻き付けて緊張させると弾性体１、は緊張力に応じて変形し、緊張による変形の反力で緊張力を維持する事を特徴とする緊張力維持装置。
【発明の詳細な説明】
【技術分野】
【０００１】
ワイヤーロープを用いる業種全般に使用する。
【背景技術】
【０００２】
ここでは道路防災に使用される落石対策工について述べる。
道路法面上の転石の処理方法としてワイヤーロープを網状に架設して転石を覆い、落下させないものや、転石の落下に備えて法面の下部にワイヤーロープと金網等で待受け式の防護柵を行っている。
【発明の開示】
【発明が解決しようとする課題】
【０００３】
上記工法の待受け式の対策工では呼び込んだ落石をワイヤーロープと金網の強度で落石のエネルギーを吸収して安全を確保するのでワイヤーロープの若干の緩みは問題とならない。しかし、問題は転石を固定して落ちないようにする工法で、施工後に起きる夏冬の寒暖差でワイヤーロープに緩みが生じ転石の固定に十分な抑止力を失うことにあります。
【課題を解決するための手段】
【０００４】
本案はワイヤーロープの寒暖差による緩み防止対策として、弾性体１、の変形による反力を利用して、緊張力の維持を確保しようとする物である。
【発明の効果】
【０００５】
円弧状の弾性体１、にワイヤーロープ２、を巻き付け弾性体１、の両端に設けられたツメ３、にワイヤーロープを引っ掛けて固定するとワイヤーロープの緊張に合わせ弾性体１、が形状を変化させる。緊張を所定の負荷で停止すると、所定の緊張力を保持すると共に弛緩の緩和に効果を発揮する構造となっている。
【図面の簡単な説明】
【０００６】
【図１】本案の斜視図
【図２】ワイヤーロープへ本案の取付け状況図
【符号の説明】
【０００７】
１、弾性体
２、ワイヤーロープ
３、ツメ
【図１】
2009270339.tif 000003
【図２】
2009270339.tif 000004
(57)【要約】【課題】本発明は太陽光エネルギーとソーラーパネルを利用して、発光ＥＬファイバーを励振させる電源を電池交換無しで駆動させ、発光せれたＥＬファイバー付ヘルメットを提供する。【解決手段】ヘルメットに発光ＥＬファイバーを固定する。ソーラーパネルをヘルメット表面に貼り付ける。装置を駆動させる電源をソーラーパネルに接続し、日中は常に充電回路の電池を充電させる。夜間充電回路から発光ＥＬファイバーを動作させ、発光させる。【選択図】図１
2009270244.tif 000002
【特許請求の範囲】
【請求項１】
発光ＥＬファイバーが固定されたヘルメット
【請求項２】
太陽光発電によって駆動された発光ＥＬファイバー
【請求項３】
太陽光発電によって充電された発光ＥＬファイバー電源
【請求項４】
太陽光発電によって駆動された発光ＥＬファイバー付ヘルメット
【発明の詳細な説明】
【技術分野】
【０００１】本発明は太陽光発電で励振されて発光するＥＬファイバ−を装着された自転車用ヘルメットに関するものである。
【背景技術】
【０００２】日常生活の交通手段やスポ−ツやレジャ−に自転車は幅広く利用されている。反面、自転車の絡んだ交通事故も増加傾向にある。そこで警察庁は自転車運転者の衝突時あるいは転倒時の死亡事故をなくすためヘルメットの使用を普及させている。また道交法改正により自転車の歩道通行を可能にし、車道通行を制限して自動車との絡んだ事故から守る対策を打ち出した。また夜間走行時には反射材をみにつけるように進めている。
そこで本発明はヘルメットに発光機能を付加させることにより、自動車運転者、自転車運手者同士、歩行者側に異様な発光する移動体を数十メ−トル前方で瞬時に認知させることを目的する。
【発明の開示】
【発明が解決しようとする課題】
【０００３】このようにこれまですべて自転車運転者をまもる行政の作業である。他方、無謀自転車運転から歩行者を守る対策は皆無に等しい。特に、無灯火と傘差し運転は非常に危険である。このような運転による前方不注意などの衝突事故が多発している。このようにヘルメット着用して無灯火、傘差し運転の自転車に歩行者側は全く無防備である。
そこで本発明のヘルメットに発光機能を付加させることにより、自動車運転への位置確認、自転車同士での衝突防止、特に歩行者側に異様な発光する移動体を数十メートル前方で瞬時に認知させることが可能である。
【課題を解決するための手段】
【０００４】上記目的を達成するため、本発明に係わる発光ＥＬファイバ−を励振する電源は電池の代わりに太陽光発電を利用して、夜間利用する電池を充電し、電池交換なしで、夜間自動的に充電された電圧を利用することを特徴とする。【０００５】本発明に係わるヘルメットはポリカ−ボネイト樹脂で加工されている。ヘルメット表面の下端に一周するように発光ＥＬファイバ−を巻いて接着させる。ソーラ−パネルで太陽光を吸収できるようにヘルメット表面の出来る限り上部と側面に設置する。電子回路装置はヘルメット表面下端側面に設置する。【０００６】これら回路を接続することにより日中は充電回路を動作させ使用する電池を充電し、発光ＥＬファイバーの励振回路をＯＦＦにし、夕方自動的に発光ＥＬファイバ−の励振回路をＯＮになり、ヘルメットに装着されたＥＬファイバ−が発光する。
【発明の効果】
【０００７】本発明に係わる発光ＥＬファイバ−付ヘルメットは次のような利点がある。
▲１▼歩行者側から発光しながら接近する移動体を事前に確認できる。
▲２▼自動車運転者から接近する自転車を事前に確認できる。
▲３▼自転車同士で接近することが確認できる。
▲４▼本人所在確認が可能である。
▲５▼防犯予防一助の可能性がある。
▲６▼太陽光エネルギ−とソーラーパネル使用のため励振回路の動作電池の消耗の不安が解消される。
【発明を実施するための最良の形態】
【０００８】ヘルメット１は発光ＥＬファイバ−２を図１の形状に巻かれ、固定される。
ソ−ラ−パネル３をヘルメット表面上部と側面に固定し、電子回路装置４をヘルメット表面下端側面に固定する。【０００９】ＯＮ−ＯＦＦスイッチ５は電子回路装置４と連動している。
昇圧回路、充放電回路、インバ−タ−は電子回路装置４の中に装着されている。【００１０】上記工程で完成した本発明のＥＬファイバー付発光ヘルメットは太陽光エネルギ−を活用することにより電池切れの心配なしでＥＬファイバ−を発光させることが可能である。自転車運転者が発光ヘルメット着用することによりこの発光を一秒でも早く気づくことにより交通事故を防ぐことが期待できる。
【産業上の利用可能】
太陽光発電による発光する発光ヘルメットは工業用ヘルメット、船舶用ヘルメット、自転車用ヘルメット、飛行場整備士ヘルメット、バイク用ヘルメット、幼児用ヘルメットなどに利用できる。
【図面の簡単な説明】
【００１１】
【図１】本発明に係わる発光ヘルメット側面図である。
【符号の説明】
１ヘルメット
２発光ＥＬファイバ−
３ソーラーパネル
４電子回路装置
５ＯＮ−ＯＦＦスイッチ
【図１】
2009270244.tif 000003
(57)【要約】【課題】日常の動作でおこるシャツのずり上がりを防止するガードルを提供する。【解決手段】日常の動作でシャツがズボンやスカートからずり上がるのを防ぐために後部と側部に滑り止めゴムを施したガードル。【選択図】図１
2009270242.tif 000002
【特許請求の範囲】
【請求項１】
日常の動作でシャツがズボンやスカートからずり上がるのを防ぐために後部と側部に滑り止めゴムを施したシャツずり上がり防止ガードル。
【発明の詳細な説明】
【技術分野】
【０００１】  本発明は日常の動作でシャツがずり上がるのを防止、またはずり上がりにくくするための滑り止めの滑り止め付ガードルに関するものである。
【背景技術】
【０００２】椅子に座ったり、腕を伸ばしたりすると、ズボンやスカートからＴシャツ、ブラウス、シャツがずり上がってしまった。
なお、洋服着用補助具（特許文献１）、シャツずり上がり防止サポーター（特許文献２）、シャツずり上がり防止具（特許文献３）、ワイシャツずり上がり防止クリップ（特許文献４）、ズホンずり落ち防止具（特許文献５）、シャツあるいはブラウスのずり上がり防止装置とその衣服（特許文献６）、ズボンずり落ち防止具（特許文献７）、シャツずり上がり防止ベルト（特許文献８）、恵帯（特許文献９）、シャツ・ブラウス等のずり上がり防止器具（特許文献１０）、シャツ類裾止めベルト（特許文献１１）、シャツのずり上がり、パンツのずり落ちを防止できる衣料（特許文献１２）が知られている。
【特許文献１】特許公開２００７−１３８３６７号公報
【特許文献２】特許公開２００６−２４１６４７号公報
【特許文献３】特許公開２００６−８３５０８号広報
【特許文献４】特許公開２００５−２９９０５７号広報
【特許文献５】特許公開平７−３３１５１７号広報
【特許文献６】国際公開ＷＯ９８／１６１２７号広報
【特許文献７】特許公開平７−２４９３３号広報
【特許文献８】特許公開３０８１９６５号広報
【特許文献９】特許公開３０６８６４６号広報
【特許文献１０】特許公開３０５７３５８号広報
【特許文献１１】特許公開３０３３５８１号広報
【特許文献１２】特許公開３０１５４０１号広報
【発明の開示】
【発明が解決しようとする課題】
【０００３】  （イ）日常の動作でシャツがボトムの後ろ側がずり上がったり、手を伸ばした時に横から出てしまい、人前で直すのも憚られ、気になった。
（ロ）本品を使用する事により摩擦力でシャツやブラウスがずり上がりにくくなる。
【課題を解決するための手段】
【０００４】  日常の動作でシャツがズボンやスカートからずり上がるのを防ぐために後部と側部に滑り止めゴムを施したガードル。
【発明の効果】
【０００５】本発明はガードルに滑り止めゴムを施したもので、着脱時のひと手間なしにボトムからシャツがずり上がるのを防ぐものである。ガードルにゴムを付けているので外からみてほとんどわかない。器具を装着した時に感じる違和感がない。
【発明を実施するための最良の形態】
【０００６】以下、本発明の実施の形態を説明する。
ガードルの後部、及びサイドの外側（ボトム側）に滑り止めゴムを付ける。
本発明は、以上の構成によりなっている。
本発明を使用する時は、シャツの裾を伸ばしてボトムをはく。
【図面の簡単な説明】
【０００７】
【図１】本発明をガードルの後面に付けた図
【図２】本発明をガードルの側面に付けた図
【図１】
2009270242.tif 000003
【図２】
2009270242.tif 000004
(57)【要約】      （修正有）【課題】酢酸ナトリウムを主成分とする蓄熱材で周辺の温水温度を変化させる事により状態変化させ、以ってエネルギーの蓄熱と放熱に利用し、ロードヒーティングパイプに低温水を常時循環させて路面の融雪を実施するシステムを提供する。【解決手段】電気ヒーター5で投入された電気エネルギーを酢酸ナトリウムを主成分とする蓄熱材3を利用する事により二倍以上に増幅してエネルギーを蓄熱し、他方予備室2からロードヒーティングパイプ11に温水を常時低温水にて循環する事により路面を２４時間温め融雪する。【選択図】図１
2009270412.tif 000002
【特許請求の範囲】
【請求項１】
一般住宅の床下空間に二槽に分離しているタンクを設置する。タンクは蓄熱材が挿入された蓄熱室と予備室の二槽に分かれている。蓄熱室から循環ポンプで循環送水し、電気ヒーターに接続する。電気ヒーターから循環パイプで循環し、蓄熱室内に循環する様になっている。電気ヒーターから蓄熱室までの配管途上に電動三方弁を設置し、予備室に循環できる装置となっている。
【請求項２】
蓄熱室内に挿入されている蓄熱材はポロプピレン製で作られた容器に入っている。蓄熱材は酢酸ナトリウムを主成分とする化合物である。周辺の温水が５７℃以上になると融解し、液体に状態変化する。そして周辺の温水温度が５６℃以下に下がると、蓄熱材は固形化し、固体に状態変化する。この固体に状態変化する時、蓄熱材は発熱する性質を持っているのである。この蓄熱室の蓄熱材が状態変化出来る様に、蓄熱室と電気ヒーターを接続する装置。
【請求項３】
床下空間に設置されているタンクの予備室からは循環ポンプと接続し、屋外路面に埋設されているロードヒーティング用のパイプに温水が循環出来る様に設置されている。ロードヒーティングパイプを経由した温水は電動三方弁により予備室又は蓄熱室に循環出来る装置となっている。
【請求項４】
蓄熱室の蓄熱材は、お互いに重なり合わないように棚や仕切を作り設置する。蓄熱室内の温水が蓄熱材間をスムーズに循環出来る様に構成されている装置。
【請求項５】
蓄熱室と予備室には温度センサーがそれぞれ装着されており、それぞれ室温水温を感知し、電動三方弁により温水回路を変更出来るシステム装置。
【発明の詳細な説明】
【技術分野】
【０００１】  夜間の余剰電力を利用し、温水と蓄熱材にて電気エネルギーを蓄熱保存する。昼間にその温水をロードヒーティングパイプに送水循環し、路面融雪する省エネルギーなケミカルロードヒーティングシステム。
【背景技術】
【０００２】  従来のロードヒーティングシステムは化石燃料を直接消費するいわゆる灯油ボイラーシステムが殆どである。しかし昨今の石油価格の高騰は、住民の経済負担を直撃し、ロードヒーティングを継続的に使用する事が困難な状態となっている。更に温暖化防止の為にＣＯ２の排出は極力避けなければならない。一般に公示されているロードヒーティングは灯油ボイラーを熱源として灯油の高発熱量を活用し、降雪センサーと組み合わせて路上の雪を瞬時に溶かすシステムである。この為、消費エネルギーも多く、ＣＯ２の排出量もかなりの量となる。消費エネルギーの削減とＣＯ２排出量の抑制は、地球環境にとって緊急の課題であり、そのシステムの開発が望まれる。
【発明の開示】
【発明が解決しようとする課題】
【０００３】  従来の灯油ボイラーの利点は高発熱量が確保出来、瞬時に高い温度をロードヒーティングパイプに送水出来、路上の融雪を容易にした。しかし欠点は消費エネルギーが過大となり、ＣＯ２の排出量も極めて多く、温暖化防止の観点から極めて憂慮される。そこで本発明では低温度域で２４時間連続的に温水を循環し、融雪しようとするものである。
【課題を解決するための手段】
【０００４】  蓄熱材（酢酸ナトリウムを主成分とする化合物）を水中に入れた蓄熱室と予備室からなる蓄熱タンクを床下空間に設置する。蓄熱材は周辺の水温が５７℃以上になると融解し、５６℃以下になると固形化する。固形化する際に発熱し周辺に熱を放出する。この特性を活用し、夜間の余剰電力を利用して電気ヒーターで蓄熱室の温水温度を５７℃以上に上昇させ、電気エネルギーを温水という形で蓄熱する。温水は蓄熱室から予備室を経由してパイプを通してロードヒーティングパイプに送水され融雪する。この送水温度は比較的低温域となるので、基本的には２４時間連続送水し、融雪に対応しようとするシステムである。
【発明の効果】
【０００５】  本発明によると低温度の送水を常時ロードヒーティングパイプに送水し、路面を常にプラス域に保持し、路上に積雪しないような効果が期待出来る。エネルギー消費の観点からは、投入した電気エネルギーの約２倍のエネルギーを出力する事が出来、極めて省エネルギー性に富み、ＣＯ２削減も多大となり、地球温暖化防止に貢献する。
【実施例】
【０００６】  二槽のタンクと電気ヒーターを接続し、一方では循環ポンプにてロードヒーティングパイプに送水出来るようになっている本発明による実施例。
【図面の簡単な説明】
【０００７】
【図１】本発明の概要図  蓄熱室１から循環ポンプ４にて温水が循環し、電気ヒーター５にて温水は昇温される。昇温された温水は、電動三方弁６を経由して配管８を通過し、蓄熱室１に循環される。以下このサイクルは第１循環回路として繰り返す。蓄熱室１の蓄熱材３は温水で温められ蓄熱室１内の水温が５７℃以上に昇温すると、液状に状態変化する。ここで電気ヒーター５で投入された電気エネルギーは蓄熱室１の蓄熱材３を液状化する事によって蓄熱される。蓄熱された温水は予備室２を経由して循環ポンプ１０にてロードヒーティングパイプ１１に循環し路面を温める。ロードヒーティングパイプ１１で冷却された温水は、電動三方弁１２を経由して蓄熱室１に入る。以下このサイクルは第２循環回路として繰り返す。第１循環回路と第２循環回路における温水の循環によりケミカルロードヒーティングシステムは構成されている。温度センサー１５、温度センサー９は蓄熱室１及び予備室２の温水温度をキャッチし、それぞれの室温を調整出来る装置となっている。
【符号の説明】
【００１０】      １．  蓄熱室                      ９．  温度センサー
２．  予備室                    １０．  循環ポンプ
３．  蓄熱材                    １１．  ロードヒーティングパイプ
４．  循環ポンプ                １２．  電動三方弁
５．  電気ヒーター              １３．  配管
６．  電動三方弁                １４．  配管
７．  配管                      １５．  温度センサー
８．  配管
【図１】
2009270412.tif 000003
(57)【要約】【課題】標識の意匠面が汚れて標識の機能が低下することを防ぐための、安全で安価で効果的な装置を提供する。【解決手段】標識の意匠面の中央付近に、自由にたなびくテープ、又はひも、あるいは糸の一端または一部を取り付け、自然の風や通過する車両の風圧により、自動的かつ継続的に意匠面の汚れを物理的に払拭する安全で安価で効果的な装置２などにより、この課題を解決する。【選択図】図２
2009270416.tif 000002
【特許請求の範囲】
【請求項１】
標識の意匠面に、風で自由にたなびくテープ、又はひも、あるいは糸の一端または一部を取り付けたことを特徴とする、風力により意匠面を払拭せしめる装置。
【請求項２】
風で自由にたなびくテープ、又はひも、あるいは糸の一端または一部を取り付けた風力により意匠面を払拭せしめる請求項１の装置を具備した標識。
【発明の詳細な説明】
【技術術分野】
【０００１】本発明は、風力によって標識の意匠面の汚れを軽減する装置とこの装置を具備した標識に関する。
【背景技術】
【０００２】従来から、路上や路側あるいは駐車場等に設置された標識の意匠面は、時間経過と共に粉塵や排気ガスが蓄積して標識の機能が低下する。これを事を防ぐため一定期間毎に人手により清掃、または交換等を行わなければならなかったが、これを解決するための安全で安価で効果的な装置は無かった（文献示せず）。
【発明の開示】
【発明が解決しようとする課題】
【０００３】標識の意匠面は時間経過とともに排気ガスや塵芥が付着、蓄積して標識の機能が低下していた。この現象を防ぐため一定期間毎に人手により清掃を行うか、新しいものに交換している。【０００４】しかし人でによる清掃はコストがかかる上、  特に路上においては作業者はもちろん、通行者にも危険と不便を伴い、新しいものとの交換も相当のコストがかかるのだがこれらを解決する安全で安価で効果的な装置はいままでなかった。
よって、これらの問題を解決する装置および、標識の提供を課題とする。
【課題を解決するための手段】
【０００５】この課題を解決するための請求項１の発明は、標識の意匠面の中央付近に風で自由にたなびく糸、又はひも、あるいはテープの一端、または一部を取り付けることより、自然の風や通過する車両の風圧によってたなびいた糸、又はひも、あるいはテープで意匠面を物理的に払拭し、排気ガスや塵芥の付着、蓄積を防止または軽減せしめる安全で安価で効果的な装置である。【０００６】また、請求項２の発明は請求項１の装置を具備した標識である。
【発明の効果】
【０００７】この装置は自然の風力あるいは走行する車両の風圧を利用して自動的、かつ継続的に装置を動かし、糸、又はひも、あるいはテープで物理的に標識の意匠面を清掃するので、時間経過と共に排気ガスや塵芥の蓄積による、意匠面の汚れから生ずる標識の効果が減じていくことを防止、あるいは軽減する効果が得られる。【０００８】これにより標識の清掃や交換にかかる経費の節約、ならびに作業時に発生する清掃の作業者と、そこを通過する者双方の危険率低下に貢献でるとともに、作業時に発生していた交通の妨げをも軽減する。【０００９】また、この発明における装置は構成部品自体が安全で安価であることに加え、構造が簡単で壊れにくく、かりに壊れて脱落したとしても二次災害を誘発する恐れが非常に低いという優れた点も併せ持つ。【００１０】もちろん、装置自体が極端に小さいので意匠面を覆い隠す部分は最小であり、装置がごく軽量であるので、取り付けに際し標識の補強は不要であり、標識の強度を低下させる事も全くない。
【発明を実施するための最良の形態】
【００１１】標識の意匠面の中央付近に、意匠をまんべんなく払拭できる程度の長さの一本のテープの一端を固定する。テープの材質は風によって自由にたなびきつつ、意匠面を物理的に払拭できる程度に軽量で柔軟性に富み、同時に耐摩耗性と耐候性をそなえた透明ウレタン樹脂が最良である。テープの幅は意匠を被視認性を極端に低下させないよう３ミリとする。【００１２】但し標識の形状や大きさに応じてテープを糸や、ひもにしたり、あるいはこれらを組み合わせたり、または複数装着したり、材質も前述の特性を備えているものなら状況に応じて一番適していると思われるものを選択すれば良い。
【実施例】
【００１３】路上に設置してある汚れの激しい道路交通標識の意匠面の中央付近にテープの一端を両面テープか、ネジで固定する。
【産業上の利用可能性】
【００１４】現在設置してある標識の意匠面においては基本的に全て設置可能である。特に汚れの激しいトンネル内及び交差点付近、コケの付着している山間部の標識、あるいは道幅が狭い、見通しが悪い等、清掃作業が特に危険な場所にある標識への利用がもっとも有効である。【００１５】大量生産が可能であるため、安全面での効果を考え広く普及される事が望ましい。
【図面の簡単な説明】
【００１６】
【図１】サークルワイパーの斜視図である。
【図２】サークルワイパーを交通標識の意匠面に取り付けた正面図である。
【図３】サークルワイパーを交通標識の意匠面に取り付けた側面図である。
【符号の説明】
１交通標識
２交通標識の意匠面
３サークルワイパー
【図１】
2009270416.tif 000003
【図２】
2009270416.tif 000004
【図３】
2009270416.tif 000005
(57)【要約】【課題】冬季路面全体に積雪が生じている地域の積雪路面上の。マンホール部分において他の積雪路面と急激な段差が生じる為、自動車などのハンドル操作に支障を与え、スピンなどの事故を誘発している問題の解決を図る。【解決手段】マンホール内部の熱が伝導しマンホール表面上の積雪を溶かし段差を生じさせていることからマンホールへの非伝熱処理のためマンホールに防音性、遮温性をもつ多孔質体、セラミック含有の塗料を塗装する。【特許請求の範囲】
【請求項１】
多孔質体、セラミック含有の塗料をマンホールに塗装する。
【請求項２】
マンホールに非熱伝導物質を貼り付ける。
【請求項３】
マンホールに熱反射素材を貼り付ける。
【発明の詳細な説明】
【技術分野】
【０００１】珪藻土、ゼオライト、ガラス発泡素材、セラミックなどの多孔質体を特徴とした天然素材の環境利用と産業利用。【０００２】塗料技術。
【背景技術】
【０００３】細孔構造を多く持つ多孔質体とセラミックは遮熱性、防音性が高い。
【発明の開示】
【発明が解決しようとする課題】
【０００４】冬季積雪時の路面上のマンホールにおいて、マンホール内部からの熱によってマンホール上部の積雪を溶かし急激な段差を生じさせている問題を解決する。【０００５】冬季路面全体に積雪が生じている地域の積雪路面上の。マンホール部分において他の積雪路面と急激な段差が生じる為、自動車などのハンドル操作に支障を与え、スピンなどの事故を誘発している問題の解決を図る。【０００６】大型車両などがマンホール上を通過する際マンホールのズレによって騒音が発生することの解決を図る。
【課題を解決するための手段】
【０００７】マンホール内部の熱が伝導しマンホール表面上の積雪を溶かし段差を生じさせていることからマンホールへの非伝熱処理のためマンホールに防音性、遮温性をもつ多孔質体、セラミック含有の塗料を塗装する。【０００８】非熱伝道物質の貼り付け、熱反射素材の貼り付け。
【発明の効果】
【０００９】現状のマンホールに容易に処理することが可能である。工事速度も速く社会的負担も少なく済む。【００１０】多孔質体、セラミックの特性の防音性、遮温性が金属との接合においても十分に発揮される。
【発明を実施するための最良の形態】
【００１１】マンホールの重量を考慮し現場で行う。【００１２】マンホールをリフトし塗装、施工する。【００１３】乾燥、接着をまち設置する。【００１４】多孔質体の細孔構造、多孔質体特性、セラミック特性を十分に発揮する様塗装、設置する。
【産業上の利用可能性】
【００１５】マンホールは数多くある為、簡易に改善できることは産業上の無駄がない。
(57)【要約】      （修正有）【課題】今迄上階、中階、下の階と３人並んで手渡しで機材を上階へ揚げていた。手が滑って材料を落とす事もありはなはだ危険である。【解決手段】支柱３に、上部スプロケットギア１を取り付け、チェーン６を張り、荷物を掛ける為のフック４に荷物を掛けスイッチ７を押せば荷物が上に上って行く様にした。この方法だと人員の削減、スピードアップにもつながり安全である。【選択図】図１
2009270414.tif 000002
【特許請求の範囲】
【請求項１】
長い支柱の（８．５ｍ〜９ｍ）下にウインチを取り付け最上部にスプロケットギアを取り付け、その間にチェーンを張りチェーンには２ｍおきにフックを取り付けた、垂直荷揚機
【発明の詳細な説明】
【技術分野】
【０００１】  この発明はビル等の建設現場等に於いて仮設の荷揚用の開口（３０ｃｍ×１．０ｍ位の穴）から上階の上の階にスラブ材（サポート、ベニヤ、パイプ、バタ角）等の仮設材を揚げる為の機材である。
【背景技術】
【０００２】  現在でもウインチやクレーン等の吊り揚機はある。
【発明の開示】
【発明が解決しようとする課題】
【０００３】  これには次のような欠点がある。
吊り揚機（ウインチやクレーン等）では２フロアーの荷揚用の開口を吊り揚げると、吊り荷が回転したり横振をしたりして穴にひっかかりなかなか揚げづらかった。吊り揚機を使うと面倒なので手揚げによる機材揚げが主流である本発明は手揚げの危険性及び労苦を取り除くのが目的である。
【課題を解決する為の手段】
【０００４】  荷揚用の開口に上の上の階迄支柱を通しチェーンに付けたフックにサポート及びベニヤをワイヤーで巻きフックにかけチェーンを回転させると支柱を伝わって上に上っていく構造にした。
支柱は８．５ｍ〜９ｍと長い為４分割にし折りたたみが可能で持ち運びが便利な構造とした。
【発明の効果】
【０００５】  発明は以上の様な構造でこの機械を使用し材料を揚げると材料は支柱を伝わって上に昇って行くので材料の回転や横ぶれもなく連続性もあるのでスピードアップにもつながる。
【発明を実施する為の最良の形態】
【０００６】  （イ）  まず支柱をウインチ取付部と中間部支柱のみと上部スプロケットギア及びリミットスイッチ取付部に４分割としたものを仮設の荷揚用の穴に入れ固定する。
（ロ）  ウインチにチェーンをセットしリミットスイッチ等を取付ける。
（ハ）  チェーンに取付けてあるフックにサポートやベニヤ等の材料にワイヤーを巻きフックにかける。
（ニ）  スイッチを押すとチェーンが回転し荷物が上昇する。次のフックが表れるので荷物を縛ったワイヤーをかけスイッチを押す。
（ホ）  一番上に行った荷物がリミットスイッチのバーを押し上げて上昇が止まる。止まったら上にいる人が荷物をはずしてリミットスイッチを元に戻すと一番下の人は又荷物を上昇させると一番上の荷物がリミットスイッチを押し止るという様に連続性をもたせた。
【図面の簡単な説明】
【０００７】
【図１】本発明の斜視図である。
【図２】本発明の断面図である。
【図３】本発明品の実施例である。
【符号の説明】
【０００８】  １．上部スプロケットギア    ２．リミットスイッチ    ３．支柱
４．荷物のワイヤーを掛ける為のフック
５．スイッチとリミットをつなぐコード  ６．チェーン
７．ウインチを回転させるスイッチ      ８．下部スプロケットギア
９．ウインチ    １０．ウインチ、ボックス
【図１】
2009270414.tif 000003
【図２】
2009270414.tif 000004
【図３】
2009270414.tif 000005
(57)【要約】      （修正有）【課題】家庭用又は公衆用洗面器内の排水の詰まりや流れが悪いのを解除する。【解決手段】スポーツ用のボールに類似した形でボールの中は空洞で、ボールを圧縮する事でボールの中の空気を外に排出する空気圧送機で、ボールの排気口が洗面器の排水口に蜜着し完全に排気圧が排水管に流れるように加工した。空気圧送機の材質は、弾力性の有るゴム又は軟質性の合成樹脂とし、空気圧で排水の詰まり等を解除する。【選択図】図１
2009270424.tif 000002
【特許請求の範囲】
【請求項１】
ゴム又は軟質性の合成樹脂で加工されたボールでボールの１部に円形の空気の排気口を付け洗面器の排水口に蜜着させ空気が漏れないように排気口は吸盤のように加工をしたものを特徴とした空気圧送機。
【発明の詳細な説明】
【技術分野】
【０００１】発明品はゴム又は軟質性の合成樹脂などで加工されて、ボールの形をしてボールの内部は空洞でこの空洞の中の空気は手で押して圧縮することにより圧縮された空気は洗面器の排水口より排水管を通ることにより排水管の詰まりを解除して排水の流れをよくするのであるが、ボールの中の空気を排水口より排水管に送るにはボールの排気口と排水口を蜜着させ排水口より外に空気が漏れないように［図１］のように加工した。
【背景技術】
【０００２】洗面器の排水の詰まりを解除する為の発明品に類似したものは、現在のところ市場など調査した範囲では発見できない。
【特許文献１】
【非特許文献】
【発明の開始】
【発明が解決しようとする課題】
【０００３】発明品は家庭又は公衆用の洗面器の排水口より排出される排水が使用しているうちに排水管が糸くずや髪の毛などで詰まり排水が悪くなり毎日使用する洗面器ではかなりの頻度で発生するのでその解除には今迄かなりの手間を要したが、発明品を使用する事で誰でも排水管の詰まりを解除でき、使用方法も実に簡単であり今後高齢化が進む社会では人助けの為にも貢献度は大である。
【課題を解決する為の手段】
【０００４】洗面器の排水口より排出された排水が排水管の途中で詰まる為にその解除方として発明したもので発明品の素材はゴム又は軟質性の合成樹脂を材料とし特に重要なのはスポーツ用のボールのような弾力性を必要とし、押し潰し空気圧送の後瞬時に発明品の中に空気を吸い込み再三排気口より排水管に空気を圧送する事により排水管の詰まりを押し流し排水管の流れをよくする。又洗面器内に溜まった排水があればボール内の空気と排水が混合し水圧と空圧でより強力な圧力で排水管の詰まりが解除されより効果的である。
【発明の効果】
【０００５】発明品を使用する事で誰でも洗面器の排水管の詰まりを即解除出来ることは生活上の助けになり時間的、経済的にも効果は大である。
【発明を実施するための最良お形態】
【０００６】発明品は色々な形の物も考えられるが、スポーツ用のボールに空気排出用の器具を取り付けたような形態にして、普通の洗面器の排水口は直径３５ｍｍが普通で、発明品の排気口は４０〜５０ｍｍにして、ボールの直径は８０〜９０ｍｍで子供からお年寄りの手の平に納まるサイズでボールの上部を手の平で押し潰すようにすることでボール内の空気は圧縮され空圧となり排水口より排水管に流れる、ゴム又は軟質の合成樹脂で出来る発明品は１つの材料で出来るのでコストも低価格で生産できる。
【実施例１】
【０００７】発明品は現在市場にはなく又類似品もないのでスーツ用のソフトボールのサイズのものを加工して使用したところ充分な効果を確認できたので、市場性を感じた。
【産業上の利用可能性】
【０００８】家庭内及び公衆用の洗面器の排水管の詰まりの解除に役立つもので、いままでは子供やお年寄りにはこの作業は困難であつた。又洗面器の使用頻度は多人数のところほど使用するので詰まる率も多く発明品があれば簡単に解除でき必ず必要とするものであるから産業上の利用価値は極めて大である。
【図面の簡単な説明】
【０００９】
【図１】  本発明の斜視図
【図２】  本発明の断面図
【図３】  本発明の使用状態を示す斜視図
【符号の説明】
【０００１０】１  空気袋用ボール
２  弾力性ゴム
３  排気口蜜着ゴム
４  ボール内空洞
５  排気穴
６  排気口
【図１】
2009270424.tif 000003
【図２】
2009270424.tif 000004
【図３】
2009270424.tif 000005
(57)【要約】      （修正有）【課題】大気を圧縮、冷却し、水を効率的に取り出し生活用水、飲料水に利用する一連の精製供給システムを提供する。【解決手段】蒸留システムは空気を蒸留装置に通し水を得るものだが、その取得効率を上げるため大気を圧縮装置Ｃへ取り込み、大気中の水蒸気の濃度を高めることにより効率化を図る。フィルターＡで浮遊塵埃を除去して送風機Ｂにより取り込まれた空気は圧縮装置Ｃにより圧縮され送風機Ｄにより冷却タンクＥに送り込まれる。圧縮された空気中の水蒸気は冷却タンク内の多重冷却パネルＦによって冷却され結露する。結露した水を冷却タンク下部の集水装置Ｊに集め、受水タンクＫを経て浄水プラントＬ送り飲料水等に利用する。また、冷却タンクより排出された冷気は中東地域で栽培の難しい寒冷地作物の栽培に再利用し、大気中に酸素として排出される。【選択図】図１
2009270409.tif 000002
【特許請求の範囲】
【請求項１】
図１の大気を送風機Ｂにて圧縮装置Ｃへ送り込み、圧縮された大気は冷却タンクＥの多重冷却パネルＦにより冷やされる。圧縮大気中の水蒸気が多重冷却パネルＦに触れて露点温度に達し結露を起こす。結露した水は集水装置Ｊに集め、受水タンクＫを経て浄水プラントＬに送り飲料水、生活用水に利用出来る図１の水の精製供給システム。
【請求項２】
図２の冷却パネルＦは冷媒管が密に入っており、圧縮大気がパネルの中を通り抜ける構造になっている。図１の冷却装置Ｉからの冷却液は回転軸Ｎを通り冷却パネル内に密に入っている冷媒管Ｏに行き渡る。圧縮大気中の水蒸気は冷媒管Ｏに触れ結露を起こし付着する。回転軸Ｎは多重冷却パネルを回転させる軸であり、付着した水蒸気は冷却パネルの回転によりはじかれて、冷却タンク下部の集水装置へ集まる。
【発明の詳細な説明】
【技術分野】
【０００１】    本発明は主に生活用水の取得に多大なエネルギー消費を要する地域に用いる。
或は生活インフラの未整備な地域に用いる、生活用水・飲料水の精製供給システムに    関する。
【背景技術】
【０００２】従来、水の取得に当たっては水源からの水を浄水施設へ移し、浄水施設から埋設管、又はこれに変わるインフラ設備にて各戸、各施設へ送るという過程であった。
水を取得することが困難な地域においては従来設備での水の移送は設備設置に大きな費用がかかり、工事過程においても大きなエネルギー消費となる。又、インフラ整備自体が困難な地域に当たっては水を運搬するという方法がとられている。
【発明の開示】
【発明が解決しようとする課題】
【０００３】上記方法は必要不可欠な水の取得にとって改善するべき点であり、地球環境負荷の軽減のためにもエネルギー消費（ＣＯ２排出）を見直すべきである。
【課題を解決するための手段】
【０００４】大気を圧縮、冷却し、水を効率的に取り出し生活用水、飲料水に利用する一連の精製供給システムを提供する。生活用水、飲料水の確保に大きなエネルギーを要す地域にて本システムの利用によって、簡易に水を取得できる。水の取得過程においては自然エネルギー（風力、その他）で行う。【０００５】図１の送風機Ｂの大型ファンにて大気を大量に取り込む、取り込む大気はフィルターＡを通し大気中の粒子の大きい浮遊粉塵などは除去する。取り込んだ大気は圧縮装置Ｃで圧縮する。圧縮により大気中に含まれる水蒸気を大量に確保し効率化を計る。【０００６】圧縮された大気は送風機Ｄで冷却タンクＥに送り込まれる。冷却タンクには多重冷却パネルＦが設置されており、冷却装置Ｉから冷却水（液体窒素等）が回転軸Ｎを通り冷却パネルを冷やす構造である。【０００７】図２の冷却パネルＦは冷媒管が密に入っており、圧縮大気がパネルの中を通り抜ける構造になっている。圧縮大気の水蒸気は冷媒管Ｏに触れ結露を起こし付着する。回転軸Ｎは駆動装置により多重冷却パネルを回転させる軸であり、付着した水蒸気は冷却パネルの回転によりはじかれて、冷却タンク下部の集水装置へ集まる。水を飲料水、生活用水に利用する為に受水槽Ｌを経て浄水プラントＭに送り水を精製する。【０００８】圧力タンクＥが排出する冷たい圧縮大気は圧力調節弁Ｇを通りチャンバＨから排出され中東地域で栽培の難しい寒冷地作物の栽培等に再利用する。
【発明の効果】
【０００９】本発明は大気から水を生産することを特徴としている為、地球上のあらゆる場所で機能を発揮する。インフラ整備の行き届かない地域で生活する人々にもたらす効果は大きい。大気中の水蒸気量による為、多湿地域での効果はより大きなものとなる。
【図面の簡単な説明】
【００１０】
【図１】本発明システム図
【符号の説明】
【００１１】Ａ．フィルター
Ｂ．送風機
Ｃ．空気圧縮装置
Ｄ．送風機
Ｅ．冷却タンク
Ｆ．多重冷却パネル
Ｇ．圧力弁
Ｈ．空気チャンバー
Ｉ．冷却装置
Ｊ．集水装置
Ｋ．受水槽
Ｌ．浄水プラント
Ｎ．回転軸
Ｍ．冷媒管
Ｏ．冷媒管
【図１】
2009270409.tif 000003
【図２】
2009270409.tif 000004
【手続補正書】
【提出日】平成20年6月24日(2008.6.24)
【手続補正１】
【補正対象書類名】明細書
【補正対象項目名】００１０
【補正方法】変更
【補正の内容】
【００１０】
【図１】本発明システム図
【図２】多重冷却パネルＦの正面図、側断面図
(57)【要約】      （修正有）【課題】怪しい人物や動物と対決した時等、状況に応じて、さまざまな対応が可能となる警棒を提供する。【解決手段】警棒１には、各種の携帯用電気９でＬＥＤ照明器具１８や、フラッシュ、スタンガン、レコーダ、寫眞、時計等を動かし、必要に応じて警棒１の中に有る、発射管１６に装備した圧縮空気のカプセル１２を切り、空気圧により内在された爆発玉１４、カラー玉１５、或は、薬品等のカプセル、水、等のカプセルの中がとび出す。又、警棒１の中に仕込まれた、赤色ＬＥＤ照明１８により、交通整理等も出来る。【選択図】図２
2009270808.tif 000002
【特許請求の範囲】
【請求項１】
乾電池、充電式電気、トランス、各種センサー、ＬＥＤ照明、カメラ、レコーダー、スタンガン、時計、フラツシユ、発射
2009270808.tif 000012
水、薬品類、網類等の１〜復数を内蔵等した警棒。
【請求項２】
請求項１記載の警棒の中におさまつた、使用方法の異なることを特徴とした警棒の装置。
【請求項３】
請求項１記載の警棒を、護身用と同事に怪しい人物や、動物と闘かい確保するため、警棒に装備又は、内蔵した、１〜復数の設備を使用することを特徴とした、警棒の使用方法。
【発明の詳細な説明】
【技術分野】
【０００１】この発明は、護身用と同事に怪しい人物や動物等と闘い、安全に相手を確保する爲の警棒に関する。
【背景技術】
【０００２】今までの警棒は、單なる警棒であるが、最近は、伸縮自在の警棒もある。しかし、この発明のように夛種の機能を持つた警棒は無く必要なものである。
【発明の開示】
【発明が解決しようとするための課題】
【０００３】怪しい人物又、動物と対決する時、ピストルを使用しないで警察官又は、ガードマンが対決し、確保する時、今までの警棒では何となく心細い時も有り、その時の状況を寫眞やレコーダ等で記録することは出来ない。この課題を解決するのがこの発明の警棒である。
【課題を解決するための手段】
【０００４】１番目は、怪しい人物や動物と対決し闘う時、今までの警棒では心細い時もあり、又状況の記録を証拠として残す爲にも、請求項１記載の警棒に内蔵された今までの警棒に無いもので課題を解決する手段としての発明である。
【０００５】２番目は、今までに無い１番目記載の警棒に内蔵されたそれぞれの機能を持ち、課題を解決するための手段としての夛様な機能を持つたことを特徴とした警棒の装置である。
【０００６】３番目は、１番目記載の警棒を護身用と同時に、怪しい人物や動物等と対決し確保する時に、それぞれの機能を使用するのが特徴としての警棒の使用方法である。
【発明の効課】
【０００７】この発明は、護身用と同時に怪しい人物や動物等と対決する時、警棒に内蔵された各種の機能の働きにより、対決の相手を迅速に確保し、状況の記録を残せる夛大な効果が有る。
【発明を実施するための最良の形能】
【０００８】この発明の警棒は、各種の携帯用電気でＬＥＤ照明器具や、フラッシュ、スタンガン、レコーダ、寫眞、時計等を動かし、必要に応じて警棒の中に有る、発射管に装備した圧縮空気のカプセルを切り、空気圧により内在された爆発玉、カラー玉、或は、薬品等のカプセル、水、等のカプセルの中がとび出す。又、警棒の中に仕込まれた、赤色ＬＥＤ照明により、交通整理等も出来る、警棒としての最良の形能である。
【実施例】
【０００９】怪しい人物や動物と闘い、護身の爲又、確保したり保護する爲の警棒であるが、その実施例として、怪しい人物が夜凶器を振りかざして向つて来た時、直ぐに警棒のスイツチカバーを開く、するとスイツチが全開し、自動的に１８のＬＥＤ照明、２１レコーダーのマイク、２０のカメラのレンズ、６のスタンガン、時計等が機能を発揮し始める。必要に応して、１９のフラ
2009270808.tif 000003
網等を発射、それでも向つて来る時は６のスタンガンで応戦し、確保するのがこの発明の実施例である。
【産業上の利用可能性】
【００１０】この発明は、警察官又はガードマンに護身用の爲にも必要不可欠な警棒である。從来の警棒よりは種々の機能を警棒に搭載しているので大変心強い。凶器等を持つて向つて来る人物に警察官は護身の爲撃つぞと警告を発し、それでも向つて来た時ピストルを発射して相手に傷をおわせるか又殺してしまう場合がある。この発明の警棒は、その前に使用して両者共安全であり、怪しい人物を確保することが出来るこの利用の可能性は夛大である。
【図面の簡単な説明】
【００１１】
【図１】警棒の透視図。
【図２】図１のａ〜ａ縱断面図。
【図３】図２のａ部縱断面拡大図。
【図４】図２のｂ部縱断面拡大図。
【図５】図２のｃ部縱断面拡大図。
【図６】
2009270808.tif 000004
【図７】
2009270808.tif 000005
【図８】図６の平面図で、スイツチカバーを引いた後の引き金装置。
【図９】スイツチカバーを引いた時のスイツチの詳細縱断面図。
【図１０】警棒のＬＥＤ照明を正面から見た図。
【図１１】警棒のＢ〜Ｂ断面図。
【図１２】警棒のＣ〜Ｃ断面図。
【符号の説明】
【００１２】１−警棒。
２−警棒の取つ手。
３−コンピユーターのカバー。
４−スイツチのカバー、磁石板付き。
５−ＬＥＤ照明室のカバー。
６−スタンガン。
2009270808.tif 000006
９−電池等の電気室。
９Ａ−電池等の電気室のネジ。
１０−コンピユーター室
１０Ａ−コンピユーター室に有るカメラ等の機材。
１１−スイツチ。
１２−圧縮空気のカプセル。
１２Ａ−圧縮空気のカプセルで幕が薄い処。
１３−圧縮空気のカプセルの切断用刃物。
2009270808.tif 000007
１５−カラー玉。
１６−発射管。
2009270808.tif 000008
１８−ＬＥＤ照明器具。
１９−フラツシユ。
２０−カメラのレンズ。
２１−レコーダのマイク。
２２−発射管の内蔵をたしかめるためのシート類。
２３−電気回路室。
２３Ａ−電気回路。
２５  スイツチカバーに取り付けてある磁石板。
2009270808.tif 000009
をする前の安全の金物。
2009270808.tif 000010
の金物。
２８−２６、２７の引き金。
２９−スイツチカバーを接合するための警棒外部にある磁石板。
３０−スタンガン又、ストツパーの板バネ。
３１−２８の引金用の穴。
2009270808.tif 000011
【図１】
2009270808.tif 000013
【図２】
2009270808.tif 000014
【図３】
2009270808.tif 000015
【図４】
2009270808.tif 000016
【図５】
2009270808.tif 000017
【図６】
2009270808.tif 000018
【図７】
2009270808.tif 000019
【図８】
2009270808.tif 000020
【図９】
2009270808.tif 000021
【図１０】
2009270808.tif 000022
【図１１】
2009270808.tif 000023
【図１２】
2009270808.tif 000024
(57)【要約】【課題】  プラスチック容器の形状、サイズに関係なく、乾燥させることが出来るプラスチック容器乾燥用具を提供する。【解決手段】棒状の金属部材の最上部にフックを設け、その下に付属品入れカゴを設け、中央部に輪っかを設けて、輪ゴムを装着する。下部は輪状に折り曲げ水滴受け皿に設置したことを特徴とするプラスチック容器乾燥用具。【選択図】図１
2009270805.tif 000002
【特許請求の範囲】
【請求項１】
棒状の金属部材の最上部にフックを設け、その下に付属品入れカゴを設け、中央部に輪っかを設けて、輪ゴムを装着し、下部は輪状に折り曲げ水滴受け皿に設置したことを特徴とするプラスチック容器乾燥用具。
【発明の詳細な説明】
【技術分野】
【０００１】  本発明は、プラスチック容器を形状、サイズに関係なく、乾燥する事が出来るプラスチック容器乾燥用具に関するものである。
【背景技術】
【０００２】  従来は、プラスチック容器は洗浄後流し台の水切りの上に並べて干したり、食器カゴに食器と一緒に入れて自然乾燥させていた。
【発明の開示】
【発明が解決しようとする課題】
【０００３】そのためにつぎのような問題点があった。
（イ）容器がかさばり、食器カゴからこぼれ落ちることがあった。
（ロ）容器の内側の乾燥を図るため、プラスチックのボトル類は口を下向きにして、立て      て干すことが一般的であるが、時には倒れて、内側には水滴が残ったままの状態と      なり乾燥させることは困難であった。
（ハ）流し台を干し場に利用することで、手狭となり調理に著しく支障を生じていた。
本発明は以上の問題点を解決するためになされたものである。
【課題を解決するための手段】
【０００４】  棒状の金属部材の最上部にフックを設け、その下に付属品入れカゴを設け、中央部に輪っかを設けて、輪ゴムを装着し、下部は輪状に折り曲げ水滴受け皿に設置する。
以上を特徴とするプラスチック容器乾燥用具である。
【発明の効果】
【０００５】  本発明は、プラスチック容器を伸縮自在の輪ゴムで留め、逆さ吊りし、本体ごと物干し竿等に引っ掛け、或いはスタンドとして使用することにより、場所を選ばず省スペースに乾燥させることが出来る。しかも容器の口が下方を向いているため内部の渇きも早い。
【発明を実施するための最良の形態】
【０００６】以下、本発明の実施の形態について説明する。
（イ）本体（１）にフック（２）付属品入れカゴ（３）輪っか（４）、（５）輪ゴム（６      ）下部輪状部（７）水滴受け皿（８）を設ける。
本発明は以上のような構造で、これを使用するときは、プラスチック容器のキャップ等を付属品入れカゴ（３）に入れ、プラスチック容器（９）を輪ゴム（６）で留め逆さ吊りにし、水滴受け皿（８）に下部輪状部（７）を設置し、フック（２）を物干し竿等（１０）に引っ掛け又はテーブル（１１）上等にスタンドとして使用する。
【図面の簡単な説明】
【０００７】
【図１】本発明の斜視図
【図２】本発明のフックによる使用状態を示す斜視図
【図３】本発明のスタンドとしての使用状態を示す斜視図
【図４】本発明の中央部の拡大側面図
【符号の説明】
【０００８】      １本体
２フック
３付属品入れカゴ
４、５輪っか
６輪ゴム
７下部輪状部
８水滴受け皿
９プラスチック容器
１０物干竿
１１テーブル等
【図１】
2009270805.tif 000003
【図２】
2009270805.tif 000004
【図３】
2009270805.tif 000005
【図４】
2009270805.tif 000006
(57)【要約】【課題】従来、床やフロアーの清掃はモップを使用していたが、モップに付着した塵を除去するためには、モップを叩いたり洗ったりと相当の腕力を必要としていた、また狭い住宅や店舗などではモップを叩く場所がないなど経済的に安価で、使い勝手の良いモップであるが上記理由により近年は電気掃除機に取り替えられるケースが多く見られるようになった。【解決手段】二個のペダルを下部に具備し、一個のペダルを踏込むことで上部の開閉蓋を開口し、二個目のペダルを踏込むことで集塵ファンを起動し、塵は金網を透過し、引き出し式フィルターで集塵する。また引き出し式フィルターは、箱状の底部に炉布フィルターが敷設され、炉布フィルターは取替え可能とする。【選択図】図１
2009082518.tif 000002
【特許請求の範囲】
【請求項１】
二個のペダルを下部に具備し、一個のペダルを踏込むことで上部の開閉蓋を開口し、二個目のペダルを踏込むことで集塵ファンを起動し、塵は金網を透過し、引き出し式フィルターで集塵することを特徴とするモップクリーナー。
【請求項２】
請求項１記載の引き出し式フィルターは、箱状の底部に炉布フィルターが敷設され、炉布フィルターは取替え可能を特徴とする。
【発明の詳細な説明】
【技術分野】
【０００１】
本発明は、モップに付着した塵を除去するクリーナーに関し、腕力を必要とせず、女性や老人や子供でも簡単に除去することができるモップクリーナーに関するものである。
【背景技術】
【０００２】
従来、床やフロアーの清掃はモップが経済的な理由や使い勝手の良さなどで多く使用されていたが、近年は電気掃除機に取り替えるケースが多く見られる。
【特許文献１】特開２００７−１５１６５５号公報
【発明の開示】
【発明が解決しようとする課題】
【０００３】
従来、床やフロアーの清掃はモップを使用していたが、モップに付着した塵を除去するためには、モップを叩いたり洗ったりと相当の腕力を必要としていた、また狭い住宅や店舗などではモップを叩く場所がないなど経済的に安価で、使い勝手の良いモップであるが上記理由により近年は電気掃除機に取り替えられるケースが多く見られるようになった。
【課題を解決するための手段】
【０００４】
上記目的を達成するため、請求項１記載の発明は、二個のペダルを下部に具備し、一個のペダルを踏込むことで上部の開閉蓋を開口し、二個目のペダルを踏込むことで集塵ファンを起動し、塵は金網を透過し、引き出し式フィルターで集塵することを特徴とする。また請求項２記載の発明は、請求項１記載の引き出し式フィルターは、箱状の底部に炉布フィルターが敷設され、炉布フィルターは取替え可能を特徴とする。
【発明の効果】
【０００５】
本発明に係るモップクリーナーによれば、モップに付着した塵を除去するための腕力を必要とせず、家庭や店舗などの狭い環境でも使用でき、モップクリーナーの設置は狭小のスペースがあればモップを挿入した状態で保管できるため、モップの保管も合わせてできる。
【発明を実施するための最良の形態】
【０００６】
狭小なスペースに設置が可能で、足でペダルを踏み、開閉蓋が開きモップを内部に入れ、別のペダルを踏むことにより、集塵ファンの電源が入り、モップの埃をフィルターで集塵することで実現した。
【実施例１】
【０００７】
以下に実施例を挙げ、本発明のモップクリーナーについて、図面を参照して詳細に説明する。図１に、本発明の実施の形態に係るモップクリーナーの斜視図を示す。図２に、本発明の実施の形態に係るフィルターの斜視図を示す。
【０００８】
図１において、モップクリーナー１は下部のａペダル１０を足で踏むことで上部の開閉蓋３を開口する。
【０００９】
ａペダル１０は次に踏むと開閉蓋３は閉口する、ａペダル１０は１回目を踏むと開閉蓋３は開口し、２回目に踏むと閉口する、３回目を踏むとまた開口し、４回目を踏むと閉口する、ａペダル１０は踏むことで開口と閉口を繰り返す。
【００１０】
開閉蓋３が開口しているときにモップ４をモップクリーナーの内部に架設されている金網６の上にモップ布５を載せる。モップ布５が金網６の上に載せると再度ａペダルを踏んで開閉蓋３を閉口する。
【００１１】
次にモップクリーナー１の下部のｂペダル１１を踏むと集塵フアン９が起動する。モップ布５を金網の上で上下左右に振り動かすことで塵は金網６を通過して、金網６の下部に装着されているフィルターの上に落下する。
【００１２】
集塵ファン９はフィルター７の底部に貼着してある炉布フィルターの網目を透過したエアーのみを吸引し排気口１２からエアーのみを排出する。
【００１３】
集塵ファン９を装着することでモップ布５を金網６の上で上下左右に振り動かしても塵が店舗や室内に散出するのを防ぐため健康にもよい。
【００１４】
ｂペダル１１を次に踏むと集塵フアン９は停止する。
【００１５】
ｂペダルも繰り返し踏むことで起動と停止が繰り返される。
【００１６】
図２おいて、フィルター７はモップクリーナー１の本体から引き出し形状で抽出できる、フィルター７の底部には炉布フィルター８が貼着されており、塵が堆積しても引き出し形状のため簡単に抽出して塵を排出することができる。
【００１７】
炉布の目詰まりが生じても炉布フィルター８は周囲を貼着している構造のため簡単に取り外して洗浄ができる。
【００１８】
モップ４は使用しないときはモップクリーナー１に装着して開閉蓋３を閉口した状態で設置できるため保管も容易で狭いスペースを有効に使用できる。
【産業上の利用可能性】
【００１９】
本発明は、モップを狭い住居や店舗で効果的に使用するためのモップクリーナーに適用される。
【図面の簡単な説明】
【００２０】
【図１】この発明に係わるモップクリーナーの斜面図である。
【図２】この発明に係わるフィルターの斜視図を示す。
【符号の説明】
【００２１】
１    モップクリーナー
２    フィルター
３    開閉蓋
４    モップ
５    モップ布
６    金網
７    フィルター
８    炉布フィルター
９    集塵ファン
１０  ａペダル
１１  ｂペダル
１２  排気口
【図１】
2009082518.tif 000003
【図２】
2009082518.tif 000004